(57)【要約】【課題】肌の柔らかい部分に使用する際にも肌を傷つけることなく好適に髭を剃ることができる電気かみそりを提供する。【解決手段】スリット状の毛導入孔１５が穿設された剃り面１４と、剃り面１４に接続する側壁１２ｂ，３４とを備え、側壁１２ｂ，３４には毛導入孔１５と連通するコーナースリット１５ａ，１５ｂが設けられている外刃１２と、剃り面１４の内面に摺接する複数の内刃体１６を有する内刃１８とを具備する電気かみそり１０において、側壁１２ｂ，３４と、側壁１２ｂ，３４に対向する内刃１６の側端面１６ａ，１６ｂとの間に、剃り面１４に略直交する方向に起立して形成され、先端部３１ｄ，３９ｃがコーナースリット１５ａ，１５ｂの端部１５ｃ，１５ｄよりも剃り面１４側に突出した状態を有するように配設された起立部材３１，３９を備えている。【選択図】          図４
2004254799.tif 000002
【特許請求の範囲】
【請求項１】
スリット状の毛導入孔が穿設された剃り面と、該剃り面に接続する側壁とを備え、該側壁には前記毛導入孔と連通するコーナースリットが設けられている外刃と、
前記剃り面の内面に摺接する複数の内刃体を有する内刃とを具備する電気かみそりにおいて、
前記側壁と、前記側壁に対向する前記内刃の側端面との間に、前記剃り面に略直交する方向に起立して形成され、先端部が前記コーナースリットの端部よりも前記剃り面側に突出した状態を有するように配設された起立部材を備えていることを特徴とする電気かみそり。
【請求項２】
前記起立部材は、前記外刃に固定して取り付けられ、先端部が前記コーナースリットの端部よりも前記剃り面側に突出した状態に設けられていることを特徴とする請求項１記載の電気かみそり。
【請求項３】
前記起立部材は、先端部が前記剃り面の内面に当接していることを特徴とする請求項２記載の電気かみそり。
【請求項４】
前記起立部材は、先端部の位置を前記剃り面に直交する方向に対して調節可能に設けられていることを特徴とする請求項１記載の電気かみそり。
【請求項５】
前記起立部材は、前記外刃に対して前記剃り面に直交する方向に昇降可能に支持され、前記起立部材の先端部は、起立部材の上昇時に前記コーナースリットの端部よりも前記剃り面側に突出した状態に設けられていることを特徴とする請求項１記載の電気かみそり。
【請求項６】
前記外刃と前記内刃とが刃枠に対して浮動可能に設けられ、
前記起立部材は、前記外刃が前記刃枠に対して浮上している状態においては、前記先端部が前記剃り面から離間し、前記外刃が前記刃枠に対して沈んだ際に、前記先端部が前記剃り面の内面に当接するように設けられていることを特徴とする請求項５記載の電気かみそり。
【請求項７】
前記起立部材は、弾性部材を介して前記外刃に取り付けられ、
前記外刃が前記刃枠に対して沈んだ際に、前記弾性部材が変形することによって、前記起立部材の先端部が前記剃り面の内面に当接するように設けられていることを特徴とする請求項６記載の電気かみそり。
【請求項８】
前記起立部材の位置調節を、段階的に行うことができることを特徴とする請求項４、５、６または７記載の電気かみそり。
【請求項９】
前記外刃は、前記剃り面がリング状に形成され、該剃り面の外周縁に外側壁、前記内周縁に内側壁が接続されているとともに、前記外側壁と前記内側壁には、前記毛導入孔と連通する外周側コーナースリット、内周側コーナースリットがそれぞれ穿設されて設けられており、
前記起立部材が、前記外側壁と前記内刃体の外周側端面との間、または前記内側壁と前記内刃体の内周側端面との間に設けられていることを特徴とする請求項１〜７のいずれか１項記載の電気かみそり。
【発明の詳細な説明】
【０００１】
【発明の属する技術分野】
本発明は、電気かみそりに関し、より詳細には、スリット状の毛導入孔が穿設された剃り面を有する外刃を備えた電気かみそりに関する。
【０００２】
【従来の技術】
電気かみそりは、毛導入孔が設けられた外刃に髭を導入し、外刃の内側に設けられた内刃によって外刃内に導入された髭をカットするように構成されている。
髭には直立状態の毛と寝ている状態の毛が混在し、直立状態の髭は毛導入孔に導入されやすいのに対して、寝ている状態の毛は外刃の毛導入孔に導入することが困難である。このため、寝ている状態の毛は剃り残しの原因となっている。この問題を解決するため、従来においては図１３に示すような電気かみそりが提案されている。
【０００３】
図１３（ａ）に示す電気かみそり１００は、刃枠２３の円形孔２３ａから剃り面１４が突出する外刃１２と、剃り面１４の内面に摺接し回転する複数の内刃体１６を備える内刃１８とを具備する回転式の電気かみそりである。
上記電気かみそり１００に備えられる外刃１２の剃り面１４はリング状に形成されており、剃り面１４には、径方向に延出するスリット状の毛導入孔１５が複数穿設されている。この外刃１２には、剃り面１４の外周側に設けられた外側壁１２ｂに穿設された外周側コーナースリット１５ａと、剃り面１４の内周側に設けられた内側壁３４に穿設された内周側コーナースリット１５ｂとが毛導入孔１５に連通して設けられている。
【０００４】
外刃１２に、上記外周側コーナースリット１５ａ及び内周側コーナースリット１５ｂが設けられていることによって、寝ている状態の毛５０は毛導入孔１５に効率よく導入される。すなわち、剃り面１４を肌に当て肌に沿わせて動かしていくと、寝ている状態の毛５０の根元部分が外周側コーナースリット１５ａに入り、直線状に延出する毛導入孔１５に沿って導入され、剃り面１４と内刃体１６により切断されることとなる（図１３（ｂ））。
【０００５】
【発明が解決しようとする課題】
しかしながら、寝ている状態の毛５０が外周側コーナースリット１５ａから導入されて切断される場合、図１３（ｂ）に示すように、寝ている状態の毛５０は傾斜した状態のまま毛導入孔１５の中央側に導入されて切断されることから、直立状態の毛を切断した場合に比べて毛の根元部分で切断されずに長く残ってしまうという問題がある。
【０００６】
また、上記構成に設けられた電気かみそり１００を肌の柔らかい部分に使用した際に肌が傷つけられる（いわゆるヒリツキが起こる）おそれがあるという別の問題もある。このヒリツキは、肌の柔らかい部分に上記剃り面１４を当て肌に沿って動かした際に、柔らかい肌が外刃１２の外周側コーナースリット１５ａまたは内周側コーナースリット１５ｂからめり込み、さらに剃り面１４を滑らせていくことによって、めり込んだ状態のまま内刃体１６の摺動位置に達して内刃体１６により肌が傷つけられるために起こるものである。
【０００７】
そこで、本発明は、これらの課題を解決すべくなされたものであり、その目的とするところは、寝ている状態の毛を短く切断することができるとともに、肌の柔らかい部分に使用する際に肌を傷つけることなく好適に髭を剃ることができる電気かみそりを提供することにある。
【０００８】
【課題を解決するための手段】
本発明は、上記目的を達成するため次の構成を備える。
すなわち、スリット状の毛導入孔が穿設された剃り面と、該剃り面に接続する側壁とを備え、該側壁には前記毛導入孔と連通するコーナースリットが設けられている外刃と、前記剃り面の内面に摺接する複数の内刃体を有する内刃とを具備する電気かみそりにおいて、前記側壁と、前記側壁に対向する前記内刃の側端面との間に、前記剃り面に直交する方向に起立して形成され、先端部が前記コーナースリットの端部よりも前記剃り面側に突出した状態を有するように配設された起立部材を備えていることを特徴とする。
【０００９】
また、前記起立部材は、前記外刃に固定して取り付けられ、先端部が前記コーナースリットの端部よりも前記剃り面側に突出した状態に設けられていることを特徴とする。これにより、起立部材は、先端部がコーナースリットを塞いでコーナースリットにめり込んだ肌を剃り面の外面側へ出すはたらきをすることから、主にヒリツキ防止部材としての効果を奏するものである。
また、前記起立部材は、先端部が前記剃り面の内面に当接していることを特徴とする。これにより、起立部材はヒリツキを防止するとともに、毛起こしの作用をするものである。
【００１０】
また、前記起立部材は、先端部の位置を前記剃り面に直交する方向に対して調節可能に設けられていることを特徴とする。これにより、コーナースリットの塞ぎ度合いを調節できることから、ヒリツキ防止の効果を適宜調節することができる。
また、前記起立部材は、前記外刃に対して前記剃り面に直交する方向に昇降可能に支持され、前記起立部材の先端部は、起立部材の上昇時に前記コーナースリットの端部よりも前記剃り面側に突出した状態に設けられていることを特徴とする。これにより、電気かみそりを使用しながら、起立部材の先端部の位置を調節することができ、ヒリツキ防止または毛起こしの作用を適宜設定することができる。
【００１１】
また、前記外刃と前記内刃とが刃枠に対して浮動可能に設けられ、前記起立部材は、前記外刃が前記刃枠に対して浮上している状態においては、前記先端部が前記剃り面から離間し、前記外刃が前記刃枠に対して沈んだ際に、前記先端部が前記剃り面の内面に当接するように設けられていることを特徴とする。これにより、電気かみそりの剃り面を肌に軽く押し当てている際には、コーナースリットから寝ている状態の毛や長い毛が好適に導入され、強く押し当てた際に、起立部材の先端部が剃り面の内面に当接して毛起こしの作用をする。また、押し当て度合いによりヒリツキ防止の効果も奏する。
また、前記起立部材は、弾性部材を介して前記外刃に取り付けられ、前記外刃が前記刃枠に対して沈んだ際に、前記弾性部材が変形することによって、前記起立部材の先端部が前記剃り面の内面に当接するように設けられていることを特徴とする。これにより、起立部材を簡単な構造によって昇降動させることができる。
また、前記起立部材の位置調節を、段階的に行うことができることを特徴とする。
【００１２】
また、前記外刃は、前記剃り面がリング状に形成され、該剃り面の外周縁に外側壁、前記内周縁に内側壁が接続されているとともに、前記外側壁と前記内側壁には、前記毛導入孔と連通する外周側コーナースリット、内周側コーナースリットがそれぞれ穿設されて設けられており、前記起立部材が、前記外側壁と前記内刃体の外周側端面との間、または前記内側壁と前記内刃体の内周側端面との間に設けられていることを特徴とする。
【００１３】
【発明の実施の形態】
以下、本発明にかかる電気かみそりの好適な実施の形態を添付図面に基づいて詳細に説明する。
図１は、本発明にかかる電気かみそりの一実施形態の構成を示す概略図である。図１に示すように、本実施形態の電気かみそり１０は、本体ハウジング１９の上部に刃ヘッド部２０が脱着自在に装着されてなり、刃ヘッド部２０にリング状の剃り面１４を有する外刃１２が取り付けられた回転式の電気かみそりである。外刃１２は刃ヘッド部２０に３つ設けられ、三角形の頂点部に中心が位置するように配設されている。
なお、本実施形態においては、外刃１２が３つ設けられているものについて説明するが、外刃１２が１つや２つ設けられているもの、または４つ以上設けられているものであっても同様である。
【００１４】
図２は図１に示す電気かみそりの刃ヘッド部２０の正面断面図であり、図３は図１に示す刃ヘッド部２０の組み立て斜視図である。
図示するように、刃ヘッド部２０の上部に設けられる刃枠２３は、上面が略三角形に設けられたキャップ状に形成され、上面には３つの円形孔２３ａが穿設されている。この刃枠２３には外刃支持部材４２が取り付けられており、外刃支持部材４２は、剃り面１４が円形孔２３ａから突出した状態に外刃１２を支持している。
【００１５】
外刃支持部材４２は、上記円形孔２３ａと略同径のリング状に形成された３つのリング部４３が一体に形成されているものである。この外刃支持部材４２のリング部４３には、上端縁と下端縁から内周側に突出する上ストッパ４３ａと下ストッパ４３ｂが設けられており、外刃１２の下端縁に設けられたフランジ１２ａが上ストッパ４３ａと下ストッパ４３ｂとの間に配置され、外刃１２は剃り面１４に直交する方向に所定距離移動可能に設けられている。
【００１６】
上記外刃支持部材４２に支持された外刃１２は、図２に示すように、本体ハウジング側に設けられている内刃駆動軸３０の付勢力により内刃１８を介して剃り面１４が突出する方向に付勢されている。このため、通常時は、外刃１２は、フランジ１２ａが外刃支持部材４２の上ストッパ４３ａに当接した状態に支持されている。
ただし、本実施形態における外刃支持部材４２の上ストッパ４３ａは、リング部４３の上端縁に沿って所定間隔おきに設けられているため、上ストッパ４３ａが設けられていない部位においては、刃枠２３の内面に当接することとなる。
【００１７】
内刃１８は、リング状の剃り面１４の内面に摺接する内刃体１６を複数備えており、内刃基台３２に固定されて設けられている。内刃基台３２の先端部は、剃り面１４の中心孔１２ｃに装着された外刃キャップ２８の凹部２８ａに内挿され、内刃１８の軸ぶれが防止されている。
内刃１８が固定されている内刃基台３２は、刃受け台２２に回転可能に支持され、内刃駆動軸３０と係合して回転するように設けられている。
【００１８】
上記内刃基台３２を支持する刃受け台２２は、刃受け台２２の中央に設けられた取付ねじ２４の雄ねじ部２４ａを刃枠２３の中央に設けられた雌ねじ部２１に螺合させて刃枠２３の内面側に取り付けられている。刃受け台２２に設けられた取付ねじ２４は、刃受け台２２の孔２２ａに挿通しストッパ２４ｂにより抜け止めされているとともに、取付ねじ２４の頭部２４ｃと刃受け台２２の下面との間に常時反発する方向に付勢する弾発スプリング２６を介在させて取り付けられている。
この構成により、刃受け台２２は、弾発スプリング２６により常時上方に付勢された状態に設けられ、刃受け台２２に支持されている内刃１８、及び内刃１８の押圧により支持されている外刃１２は、刃枠２３に対して浮動可能に支持されている。
【００１９】
上記外刃１２は、リング状の剃り面１４と、剃り面１４の外周縁に沿って設けられた外側壁１２ｂとによりキャップ状に形成されている。なお、剃り面１４の中心には、リング状に設けられた剃り面１４の内周縁に、外側壁１２ｂと略平行に設けられた内側壁３４と、内側壁３４の端縁に設けられたリング面３５とが設けられている。
【００２０】
剃り面１４には径方向に延びるスリット状の毛導入孔１５が複数設けられている。外側壁１２ｂと内側壁３４には、剃り面１４と接続する側に、外周側コーナースリット１５ａと内周側コーナースリット１５ｂとがそれぞれ設けられ、毛導入孔１５と連通して設けられている。これによって、寝ている状態の毛が導入されやすくなるが、図１３（ｂ）に示すように、寝ている状態の毛を切断した際には、直立状態の毛の切断長さに比べて長くなってしまうという問題がある。
このため、本発明の電気かみそり１０においては、寝ている状態の毛を起こす起立部材が備えられ、直立状態の毛の切断長さと同様に確実に短く切断することができるように設けられている。
また、肌の柔らかい部分の髭を剃る際にも、外周側コーナースリット１５ａまたは内周側コーナースリット１５ｂから肌がめり込み、肌を傷つけてしまうおそれがあるが、本発明の電気かみそり１０においては、起立部材により肌がめり込むのを防止して、ヒリツキが起こらないように設けられている。以下に、起立部材の構造について図３及び図４により詳しく説明する。
【００２１】
図示するように、外刃１２には、外刃１２の外側壁１２ｂと、該外側壁１２ｂと対向する内刃体１６（内刃１８）の外周側端面１６ａとの間に、外側壁１２ｂに沿ったリング状の第１起立部材と、外刃１２の内側壁３４と、該内側壁３４と対向する内刃体１６（内刃１８）の内周側端面１６ｂとの間に、内側壁３４に沿ったリング状の第２起立部材とが設けられている。本実施形態においては、第１起立部材を毛起こし部材３８として設け、第２起立部材をヒリツキ防止部材３１として設けている。
【００２２】
本実施形態の毛起こし部材３８は、外刃１２の外側壁１２ｂと内刃体１６の外周側端面１６ａとの間に配設され、外刃１２の外側壁１２ｂに沿って延出したリング状に形成された起立部３９と、起立部３９の下端部から外周側に略Ｌ字状に屈曲する屈曲部４１とにより形成されている。詳細には、起立部３９は、リング状に形成された起立部３９の内側面３９ａが内刃体１６の外周側端面１６ａに接触しない程度の近傍に配置され、外側面３９ｂが外刃１２の外側壁１２ｂの内周面に当接した状態となるような厚さに設けられている。
【００２３】
毛起こし部材３８と外刃１２は、屈曲部４１の上面と前記外刃１２のフランジ１２ａの下面とを弾性部材としてのコイルスプリング４０を介して接着することにより一体に設けられている。外刃１２と一体に設けられた毛起こし部材３８は、屈曲部４１の下面が上方（剃り面１４が刃枠２３から突出する方向）に押圧されると先端部３９ｃが剃り面１４に近づくように設けられ、外刃１２に対して昇降可能に取り付けられている。
外刃１２と毛起こし部材３８との間に設けられるコイルスプリング４０は、一端が外刃１２のフランジ１２ａの下面に接着され、外刃１２のフランジ１２ａに沿って巻回し、下端が毛起こし部材３８の屈曲部４１の上面に接着して取り付けられているものである。このコイルスプリング４０により、外刃１２のフランジ１２ａと毛起こし部材３８の屈曲部４１との間隔を周方向にわたって略均一にすることができるため、起立部３９が外刃１２の外側壁１２ｂと略平行となるように設けることができる。
なお、本実施形態においては、コイルスプリング４０を外刃１２のフランジ１２ａに沿って巻回した形状に形成されているものであるが、本発明においてはこれに限定されるものではなく、毛起こし部材３８の屈曲部４１の上面に載置できる程度の大きさのコイルスプリングを外刃１２のフランジ１２ａに沿って複数個設けることであっても良い。また、弾性部材をコイルスプリングに限定するものではなくゴム等であっても良い。
【００２４】
外刃１２と一体に設けられている毛起こし部材３８は、外刃１２が浮上している状態、すなわち外刃１２の剃り面１４に圧力がかかっていない状態においては、起立部３９の先端部３９ｃが、外刃１２に設けられた外周側コーナースリット１５ａの端部１５ｃと略同高さ位置となるように取り付けられており、外刃１２が沈んだ際、すなわち外刃１２の剃り面１４に圧力がかかった際に、起立部３９の先端部３９ｃが外刃１２の剃り面１４の内面に当接するように設けられている。
【００２５】
すなわち、毛起こし部材３８の屈曲部４１の下方側には、前記外刃支持部材４２の下ストッパ４３ｂが配設されており、外刃１２が刃枠２３に対して沈んだ際に屈曲部４１の下面が下ストッパ４３ｂの上面に当接することによって、コイルスプリング４０が縮む方向に変形して起立部３９の先端部３９ｃが剃り面１４の内面に当接するように設けられている。
本実施形態において下ストッパ４３ｂは、毛起こし部材３８の屈曲部４１の下面と所定間隔Ｌ（本実施形態においては２ｍｍ）離れた位置に設けられ、屈曲部４１の下面の略全面が当接する程度に内方に延出して、リング部４３の下端縁に沿った略リング状（一部分に切り欠きが設けられている（図３参照））に形成されているものである。
【００２６】
なお、外刃１２は剃り面１４の剛性を高めるためにコーナー部が肉厚に設けられている。このため、起立部３９の先端部３９ｃは、上記コーナー部の肉厚部に当接しないように、先端部３９ｃの外周側が切り欠かれた形状に設けられている。
また、本実施形態の外刃１２には、外側壁１２ｂから内周側に突出するピン４４が取り付けられており、起立部３９の側面に穿設された係止孔３９ｄと係合している。起立部３９の係止孔３９ｄは剃り面１４と直交する方向を長手とする長孔に形成されており、これによって毛起こし部材３８は周方向に回動不能、剃り面１４に直交する方向に所定距離移動可能に設けられている。すなわち、外刃１２が浮上状態においては、ピン４４が係止孔３９ｄの上端縁に当接していることによって、起立部３９が剃り面１４から離れる方向に動くのを規制し、外刃１２が沈むと、ピン４４の位置も下がることから相対的に起立部３９の先端部３９ｃが剃り面１４に近づくようにしているものである。
【００２７】
次に、上記外刃１２の剃り面１４に圧力がかかった際の毛起こし部材３８の状態を図５により説明する。
図５（ａ）に示すように、外刃１２の剃り面１４に圧力が加わると、刃受け台２２を支持する弾発スプリング（図示しない）が縮むことによって、外刃１２は刃枠２３に対して沈む。このとき、毛起こし部材３８は外刃１２に取り付けられている状態のまま下方に下がる。そして間隔Ｌ分だけ沈むと、図５（ｂ）に示すように、屈曲部４１の下面が前記下ストッパ４３ｂの上面と当接する。
屈曲部４１と下ストッパ４３ｂとが当接した後においては、外刃１２はフランジ１２ａがコイルスプリング４０を押圧することによりさらに沈む。このとき、毛起こし部材３８の先端部３９ｃは、外刃１２の沈みにともない相対的に剃り面１４に徐々に近づいていき、図５（ｃ）に示すように、先端部３９ｃが外刃１２の剃り面１４の内面に当接する。
【００２８】
上記のように動作する毛起こし部材３８を備えた電気かみそり１０においては、髭を剃る際に剃り面１４を肌に強く押し当てることによって、毛起こし部材３８の先端部３９ｃが剃り面１４の内面に当接して寝ている状態の毛を、直立状態の毛を切断した際と同様に短く切断することができる。以下に、寝ている状態の毛を切断する際の切断動作を図６及び図７により順に説明する。
なお、電気かみそりによって髭を剃る際には、最初電気かみそりの剃り面をかるく当てながら肌４８に沿って動かし、この後、肌に押し当てる力を徐々に強くしながら同じ箇所を何度か往復させて行うのが一般的である。このため、この手順で操作が行われるものとして説明する。
【００２９】
図６（ａ）に示すように、肌４８に剃り面１４がかるく当たった状態で矢印Ａ方向（毛５０の傾きと同方向）に動かしていくと、傾斜した状態の毛５０は、根元部分が外周側コーナースリット１５ａに入り込み、毛導入孔１５の長手方向に向かって導入されていく。剃り面１４に導入されると、図６（ｂ）に示すように、剃り面１４と内刃体１６により切断される。このとき、毛５０ａは、上述したように、直立状態の毛を切断した場合に比べて長く残ってしまう。
【００３０】
そこで、本発明においては、図６（ｃ）に示すように、肌４８に剃り面１４を強く押し当て、剃り面１４の内面に毛起こし部材３８の先端部３９ｃが当接した状態（図５（ｃ）の状態）で矢印Ｂの方向（矢印Ａと反対方向）に動かした際に、毛５０ａを短く切断できるように設けられている。
すなわち、図６（ｃ）の状態から矢印Ｂの方向へ向けて電気かみそり１０を動かすと、切断された毛５０ａの先端は毛起こし部材３８の内側面３９ａに当接し、さらに電気かみそり１０を矢印Ｂ方向に動かすと、内側面３９ａに沿って下方へと入っていき、起立した状態となる（図７（ａ））。
そして、毛起こし部材３８の内側面３９ａは、内刃体１６の外周側端面１６ａの近傍に位置するように配設されているため、毛５０ａは起こされるとすぐさま内刃体１６により切断される（図７（ｂ））。これにより、毛５０ｂは起立した状態で切断されることとなることから、直立状態の毛を切断した際と略同様の長さまで短くすることができる。
【００３１】
また、毛５０と反対方向に寝ている状態の毛５１を切断する際には、先ず、図８（ａ）に示すように、電気かみそり１０を矢印Ａ方向（毛５１の傾斜と反対方向）に動かすと、外刃１２の外側壁１２ｂに毛５１の先端が当接して反対方向に傾斜しながら中央側に導入され（図８（ｂ））、切断される。切断された毛５１ａは、図８（ｃ）に示すように、最初の傾斜方向に傾いた状態となってしまう。このため、図６（ｃ）に示したように、電気かみそり１０を矢印Ｂ（矢印Ａと反対方向）に動かしても、毛起こし部材３８に毛５１ａの先端部が当たらないため起立させることができないが、剃り面１４をそのまま矢印Ａに動かすことによって、外刃１２の中心に対して対称な位置（剃り面１４において切断位置の対極となる位置）における毛起こし部材３８に毛５１ａの先端が当接して起立させることができる（図９（ａ））。そして、毛起こし部材３８の内側面３９ａに設けられている内刃体１６により切断され、毛５１ｂは、剃り面１４の厚さ程度の長さに設けられる（図９（ｂ））。
なお、本実施形態においては、起立部材の先端部が剃り面の内面に当接した状態において毛起こし部材として作用するものとしているが、本発明においてはこれに限定されるものではなく、起立部材の先端部が剃り面の内面から離間した状態であっても毛起こし部材として作用するものである。
【００３２】
次に、第２起立部材として設けられたヒリツキ防止部材３１の構成について説明する。
本実施形態のヒリツキ防止部材３１は、外刃キャップ２８の凹部２８ａをなす側壁２９の外周面に螺刻されたねじ部２９ａに螺合して取り付けられるように設けられている。
図３に示すように、ヒリツキ防止部材３１は、中心にねじ部２９ａと螺合する螺合孔３１ｂが設けられた円板部３１ａと、円板部３１ａの外周縁から剃り面１４に略直交する方向に起立するリング状の起立部３１ｃとからなる。
【００３３】
外刃キャップ２８のねじ部２９ａに螺合して取り付けられたヒリツキ防止部材３１は、前記内刃体１６の内周側端面１６ｂの近傍に起立部３１ｃが配され、先端部３１ｄが内周側コーナースリット１５ｂの端部１５ｄよりも上方に位置して内周側コーナースリット１５ｂを塞ぐ状態で取り付けられている。
このヒリツキ防止部材３１は、外刃キャップ２８に取り付けられているものであるため、外刃１２が刃枠２３に対して沈んだ状態になっても、先端部３１ｄの位置は外刃１２に対して固定されたままであることから、常にヒリツキ防止の効果を奏するものである。
なお、ヒリツキ防止部材３１は、円板部３１ａの螺合孔３１ｂとねじ部２９ａとの螺合の度合いにより、剃り面１４に直交する方向に高さ調節することが可能であることから、先端部３１ｄの位置を適宜調節することができ、また、ヒリツキ防止部材３１を使用しない場合には、先端部３１ｄが内周側コーナースリット１５ｂの端部１５ｄよりも下方に位置するように取り付けることも可能である。
また、本実施形態においてヒリツキ防止部材３１は、外刃１２に対して高さ方向に調節可能に設けられているが、先端部３１ｄを剃り面１４の内面に当接した状態に固定しておくことによって、上記毛起こし部材としての作用も奏させることができる。
【００３４】
上記構成に設けられたヒリツキ防止部材３１は、肌の柔らかい部分に電気かみそり１０を使用した際に、肌が傷つかないようにするために設けられているものである。すなわち、肌の柔らかい部分の髭を剃る場合、剃り面１４を肌に沿って滑らせていくと、肌の一部が内周側コーナースリット１５ｂ側からめりこんだ状態となるが、起立部３１ｃの先端部３１ｄにより内周側コーナースリット１５ｂを塞ぐヒリツキ防止部材３１が設けられていることによって、めり込んだ肌を起立部３１ｃの先端部３１ｄにより剃り面１４の外側に導き出し、肌が内刃体１６の摺動位置に導入されるのを防いで肌が傷つくのを防止している。
【００３５】
図１０は、本実施形態の電気かみそりの変形例を示す外刃の側面図と正面断面図である。図１０（ａ）に示すように、外刃１２の外側壁１２ｂから起立部材５５のつまみ５５ａが外方に突出した状態に設けられている。このつまみ５５ａは、図１０（ｂ）に示すように、外側壁１２ｂに沿って起立するリング状の起立部５６の外周面から外側壁１２ｂに直交する方向に突出する突出部５５ｂと、突出部５５ｂの外端から上方に向けて屈曲するつまみ部５５ｃとから成り、外刃１２に設けられたスライド孔５７から突出した状態に取り付けられている。
【００３６】
図１０（ａ）に示すように、外刃１２の外側壁１２ｂに設けられたスライド孔５７は、外刃１２のフランジ１２ａ面に対して若干傾斜した状態に穿設されている。このため、起立部材５５のつまみ部５５ｃを持ってスライド孔５７に沿ってスライドさせていくと、起立部材５５は回転しながら起立部５６の先端部５６ａの位置が剃り面１４に直交する方向において上または下方向に移動し位置調節が行える。そして、起立部材５５の先端部の位置調節を行うことができるつまみ５５ａが、外刃１２の外側に設けられていることによって、位置調節を即座にかつ簡単に行うことができる。
【００３７】
上記スライド孔５７の下端側には、任意の間隔において突起５７ａが設けられている。この突起５７ａは、つまみ５５ａをスライドさせた際に、起立部材５５の突出部５５ｂを係止し、起立部材５５の位置を保持させるものである。このため、突起５７ａの間隔により、起立部材５５の先端部５６ａの位置を段階的に調節することができる。
なお、図１０に示す実施形態においては、スライド孔５７の下方側にスライド孔５７と略平行に穿設されたスリット５８が設けられている。これにより、スライド孔５７とスリット５８の間にある帯部５９が撓みやすくなることから、起立部材５５をスライドさせる際、起立部材５５の突出部５５ｂがスライド孔５７の突起５７ａを乗り越えやすくなり、段階調整の操作が好適に行えるように設けられている。
【００３８】
なお、本実施形態における起立部材としての毛起こし部材３８およびヒリツキ防止部材３１は、外刃１２の外側壁１２ｂに沿ったリング状に形成されているものであるが、本発明においてはこれに限定されるものではなく、外刃１２の外側壁１２ｂまたは内側壁３４に沿ったリング状の一部分をなす円弧状に形成されているものであっても良い。
例えば、本実施形態の毛起こし部材３８において、図１に示す刃ヘッド部２０の上面のコーナー部分２０ａに近い側の略半周部のみに、半周状の毛起こし部材が取り付けられていることであっても良い。これは、外刃１２の上記コーナー部分２０ａに近い側が刃枠２３に対して沈みやすいことから、毛起こし部材３８の先端部３９ｃが剃り面１４の内面に当接して毛起こしの作用を好適になすために設けられて、毛起こし部材が設けられていない半周側においては、外刃１２の外周側コーナースリット１５ａからは毛が導入されやすいようにしているものである。
【００３９】
また、本実施形態においては、起立部材としての毛起こし部材３８が内刃体１６の外周側に配設され、起立部材としてのヒリツキ防止部材３１が内刃体１６の内周側に配設されているものであるが、本発明においてはこれに限定されるものではなく、毛起こし部材が内刃体３８の内周側、ヒリツキ防止部材が内刃体１６の外周側に設けられていることであってもよい。また、内刃体１６の内周側と外周側に、同じ効果を奏する起立部材が設けられていることであってもよいし、内刃体１６の内周側または外周側のどちらか一方にのみに起立部材が設けられていることであっても良い。
さらに、本実施形態の毛起こし部材は、毛起こしの作用のみをするものではなく、コーナースリットの端部よりも上方に位置することでヒリツキ防止の作用もするものである。また、ヒリツキ防止部材も、ヒリツキ防止の作用だけでなく、剃り面の内面近傍に先端部が位置することで毛起こしの作用をするものである。
【００４０】
また、外刃１２が浮上状態の際の毛起こし部材３８の先端部３９ｃの位置を、外周側コーナースリット１５ａの端部１５ｃと略同高さに設けられていることに限定されるものではなく、外周側コーナースリット１５ａの端部１５ｃよりも下方に位置するように設けられていることでも良いし、また、常時外周側コーナースリット１５ａの端部１５ｃよりも剃り面１４側に突出した状態に設けられていることであっても良い。
【００４１】
さらに、本実施形態の電気かみそりにおいては、リング状に設けられた剃り面１４が一重（シングルトラック刃）のものについてのみ記載しているが、複数のトラック刃状に形成されているものであってもよい。
具体的には、図１１に示すように、リング状の剃り面に同心円の区画溝９１が設けられ、２列のトラック状に形成された剃り面９０を有する外刃９２と、２列のトラック刃の剃り面９０の内面に摺接するように先端が２つに分岐した内刃体９３を複数備える内刃９４とを具備する電気かみそりにおいて、剃り面９０の内面側に、区画溝９１を形成する側壁９５ａ，９５ｂと、この側壁９５ａ，９５ｂと対向する分岐した内刃体９３の側端面９６ａ，９６ｂとの間に、剃り面と直交する方向に起立し、先端部が剃り面の内面に当接または離間した起立部材９７が設けられていることであっても良い。また、剃り面が３列以上のトラック状に設けられているものであっても同様である。
【００４２】
図１２は、本発明にかかる電気かみそりの他の実施形態の構成について示した部分図である。図１２に示す電気かみそりは往復動式の電気かみそりであり、図１２（ａ）に外刃７０と内刃７１とからなる刃ユニットの斜視図、図１２（ｂ）に図１２（ａ）のＡ−Ａ断面図を示す。
【００４３】
図示する電気かみそりの外刃７０は、長手方向に延出する板状の剃り面７２と、剃り面７２の長辺側端縁に接続される一対の側壁７３，７３とから成り、断面略Ｕ字状に形成されている。剃り面７２には、短手方向に延びるスリット状の毛導入孔７４が複数穿接されている。また、一対の側壁７３のそり面７２側には、毛導入孔７４に連通するコーナースリット７５が複数設けられている。
外刃７０の内側に設けられている内刃７１は、剃り面７２の短手方向に延び剃り面７２の内面に摺接する内刃体７５を複数備え、外刃７０よりも幅狭の断面略Ｕ字状に形成されており、本体ハウジング内に設けられた内刃駆動軸（図示しない）により、剃り面７２の長手方向に所定のストローク幅で往復動するように設けられている。
【００４４】
外刃７０の内側には、外刃７０の一方の側壁７３ａと、一方の側壁７３ａに対向する内刃７１の側端面７１ａとの間に起立部材７７が設けられている。起立部材７７は、一方の側壁７３ａに沿って延出した板状に形成され、内面７７ａが内刃７１の側端面と離間し、外面７７ｂが側壁７３ａに当接するように厚さが設定されて形成されている。
起立部材７７の外面７７ｂの両端には、側壁７３ａ側に突出する係合突起７８が設けられており、起立部材７７は、側壁７３ａに設けられた係合孔７９に係合し留め具８０により固定されることによって外刃７０に取り付けられている。なお、係合孔７９は高さ方向（剃り面７２に直交する方向）に延びる長孔に設けられていることから、高さ方向に対して位置調節が可能である。
【００４５】
上記構成により外刃７０の内側に取り付けられた起立部材７７は、先端部７７ｃが上記コーナースリット７５の端部よりも剃り面７２側に突出した状態に取り付けられている場合、コーナースリット７５から肌の柔らかい部分がめり込んで傷つくのを防止するヒリツキ防止部材として作用し、先端部７７ｃが剃り面７２の内面に当接して取り付けられている場合、毛を起こす毛起こし部材として作用するものである。
【００４６】
【発明の効果】
本発明による電気かみそりによれば、上述したように、内刃体の外周側または内周側の端縁近傍において、剃り面に直交する方向に起立する起立部材を設けることによって、寝ている状態の毛を確実に短く切断することができる、または、剃り面内に肌がめり込むのを防いでヒリツキを防止することができる等の著効を奏する。
【図面の簡単な説明】
【図１】本発明にかかる電気かみそりの一実施形態の構成を示す概略図である。
【図２】図１に示す電気かみそりの刃ヘッド部の構成を示す正面断面図である。
【図３】図１に示す電気かみそりの刃ヘッド部の構成を示す組み立て斜視図である。
【図４】図２に示す刃ヘッド部の一部分を拡大した拡大図である。
【図５】図２に示す毛起こし部の動作を順に示す説明図である。
【図６】本実施形態の電気かみそりを使用して毛を切断する際の状態図である。
【図７】本実施形態の電気かみそりを使用して毛を切断する際の状態図である。
【図８】本実施形態の電気かみそりを使用して毛を切断する際の状態図である。
【図９】本実施形態の電気かみそりを使用して毛を切断する際の状態図である。
【図１０】本実施形態の電気かみそりの変形例を示す外刃の側面図および正面断面図である。
【図１１】本発明にかかる電気かみそりの第２の他の実施形態を示す外刃の部分断面図である。
【図１２】本発明にかかる電気かみそりの他の実施形態を示す部分断面図である。
【図１３】従来の電気かみそりの一部分の構成及び作用を示す正面断面図である。
【符号の説明】
１０  電気かみそり
１２  外刃
１４  剃り面
１５  毛導入孔
１６  内刃体
２３  刃枠
３８  毛起こし部
４０  コイルスプリング
４２  外刃支持部材
４８  肌
５０  毛
【図１】
2004254799.tif 000003
【図２】
2004254799.tif 000004
【図３】
2004254799.tif 000005
【図４】
2004254799.tif 000006
【図５】
2004254799.tif 000007
【図６】
2004254799.tif 000008
【図７】
2004254799.tif 000009
【図８】
2004254799.tif 000010
【図９】
2004254799.tif 000011
【図１０】
2004254799.tif 000012
【図１１】
2004254799.tif 000013
【図１２】
2004254799.tif 000014
【図１３】
2004254799.tif 000015